(57)【要約】  【課題】  広く普及している営業用のカラオケ装置を利用して、カラオケ店舗に設置されている営業用のカラオケ装置でユーザが用意した静止画、動画をカラオケ用の背景用の画像として表示できるようにして、自身が撮影した写真等の画像を広く他者に見てもらいたいという欲求を満たすことを可能にする。  【解決手段】  通信センタ５０のユーザ画像サーバ５２に予め記憶されている任意の画像データをカラオケ装置１０のＨＤ１２へダウンロードし、指定されたカラオケ曲の楽音情報の再生時に、そのカラオケ曲に対応付けられて映像再生部４０のＨＤ４３に記憶されている映像情報に代えてＨＤ１２が記憶している任意の画像データを読み出し、指定されたカラオケ曲の歌詞情報をＨＤ１２から読み出し、両者をビデオミキサ１４で合成してモニタ３４に表示する。【選択図】      図１
2006003843.tif 000002
【特許請求の範囲】
【請求項１】
複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ装置において、
任意の画像データを記憶する画像データ記憶手段と、
指定されたカラオケ曲の楽音情報の再生時に、前記指定されたカラオケ曲に対応付けられている映像情報に代えて前記画像データ記憶手段が記憶している任意の画像データを読み出し、前記指定されたカラオケ曲の歌詞情報と前記合成手段に合成させる制御手段と
を備えたことを特徴とするカラオケ装置。
【請求項２】
複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ装置において、
任意の画像データを前記曲情報記憶手段が記憶しているカラオケ曲の楽音情報のいずれかに対応付けて記憶する画像データ記憶手段と、
指定されたカラオケ曲に前記画像データ記憶手段が記憶している任意の画像データが対応付けられている場合に、前記指定されたカラオケ曲の楽音情報の再生時に、前記指定されたカラオケ曲に対応付けられている映像情報に代えて前記指定されたカラオケ曲に対応付けられて前記画像データ記憶手段に記憶されている任意の画像データを読み出し、前記指定されたカラオケ曲の歌詞情報と前記合成手段に合成させる制御手段と
を備えたことを特徴とするカラオケ装置。
【請求項３】
複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ端末装置と、該カラオケ端末装置に前記楽音情報と映像情報とを送信して前記曲情報記憶手段及び映像情報記憶手段にそれぞれ記憶させる中央装置とを含むカラオケシステムにおいて、
前記中央装置は、任意の画像データを受信して記憶する画像データ記憶手段を備え、
前記カラオケ端末装置は、
前記中央装置の画像データ記憶手段が記憶している画像データを通信回線を介して受信する画像データ受信手段と、
該画像データ受信手段が受信した画像データを一時的に記憶する一時記憶手段と、
指定されたカラオケ曲の楽音情報の再生時に、前記指定されたカラオケ曲に対応付けられている映像情報に代えて前記一時記憶手段が記憶している任意の画像データを読み出し、前記指定されたカラオケ曲の歌詞情報と前記合成手段に合成させる制御手段と
を備えること
を特徴とするカラオケシステム。
【請求項４】
複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ端末装置と、該カラオケ端末装置に前記楽音情報と映像情報とを送信して前記曲情報記憶手段及び映像情報記憶手段にそれぞれ記憶させる中央装置とを含むカラオケシステムにおいて、
前記中央装置は、任意の画像データを前記カラオケ端末装置の曲情報記憶手段が記憶しているカラオケ曲を特定する曲特定情報と対応付けて記憶する画像データ記憶手段を備え、
前記カラオケ端末装置は、
前記中央装置の画像データ記憶手段が記憶している画像データ及び曲特定情報を通信回線を介して受信する画像データ受信手段と、
該画像データ受信手段が受信した画像データ及び曲特定情報を一時的に記憶する一時記憶手段と、
指定されたカラオケ曲を特定する曲特定情報が前記一時記憶手段に記憶されている場合に、前記指定されたカラオケ曲の楽音情報の再生時に、前記指定されたカラオケ曲に対応付けられている映像情報に代えて前記指定されたカラオケ曲の曲特定情報と対応付けられて前記一時記憶手段に記憶されている任意の画像データを読み出し、前記指定されたカラオケ曲の歌詞情報と前記合成手段に合成させる制御手段と
を備えること
を特徴とするカラオケシステム。
【請求項５】
複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ端末装置と、該カラオケ端末装置に前記楽音情報と映像情報とを送信して前記曲情報記憶手段及び映像情報記憶手段にそれぞれ記憶させる中央装置とを含むカラオケシステムにおいて、
前記中央装置へ任意の画像を送信して記憶させる端末装置を更に含み、
前記中央装置は、前記端末装置から送信された任意の画像データを受信して記憶する画像データ記憶手段を備え、
前記カラオケ端末装置は、
前記中央装置の画像データ記憶手段が記憶している画像データを通信回線を介して受信する画像データ受信手段と、
該画像データ受信手段が受信した画像データを一時的に記憶する一時記憶手段と、
指定されたカラオケ曲の楽音情報の再生時に、前記指定されたカラオケ曲に対応付けられている映像情報に代えて前記一時記憶手段が記憶している任意の画像データを読み出し、前記指定されたカラオケ曲の歌詞情報と前記合成手段に合成させる制御手段と
を備えること
を特徴とするカラオケシステム。
【請求項６】
複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ端末装置と、該カラオケ端末装置に前記楽音情報及び映像情報を送信して前記曲情報記憶手段及び映像情報記憶手段にそれぞれ記憶させる中央装置とを含むカラオケシステムにおいて、
前記カラオケ端末装置の曲情報記憶手段が記憶している複数のカラオケ曲の楽音情報の少なくとも一つに任意の画像を前記カラオケ端末装置の映像情報記憶手段が記憶している映像情報に代えて表示させるように設定する設定情報と、前記任意の画像とを前記中央装置へ送信する端末装置を更に含み、
前記中央装置は、前記端末装置から送信された前記設定情報及び前記任意の画像データを受信して記憶する画像データ記憶手段を備え、
前記カラオケ端末装置は、
前記中央装置の画像データ記憶手段が記憶している設定情報及び画像データを通信回線を介して受信する画像データ受信手段と、
該画像データ受信手段が受信した設定情報及び画像データを一時的に記憶する一時記憶手段と、
指定されたカラオケ曲を特定する曲特定情報が前記一時記憶手段に記憶されている場合に、前記指定されたカラオケ曲の楽音情報の再生時に、前記指定されたカラオケ曲に対応付けられている映像情報に代えて前記指定されたカラオケ曲を特定する曲特定情報に対応する設定情報に従って前記一時記憶手段に記憶されている任意の画像データを読み出し、前記指定されたカラオケ曲の歌詞情報と前記合成手段に合成させる制御手段と
を備えること
を特徴とするカラオケシステム。
【発明の詳細な説明】
【技術分野】
【０００１】
本発明は、カラオケ用の種々の背景用映像データ、曲データ（楽音データ及び歌詞データ）等を保持しているカラオケ装置に関し、またそのような背景用映像データ、曲データ（楽音データ及び歌詞データ）等を通信センタのサーバから定期的に、またはリクエストがあった場合にダウンロードするカラオケシステムに関する。
【背景技術】
【０００２】
デジタルスチルカメラの普及に伴なって携帯電話機にもデジタルカメラ機能が付属するようになり、従来の銀塩フィルムを使用したカメラに比して非常に手軽に写真を撮ることが可能になっている。しかしそのようなデジタルカメラで撮影された写真の利用に関しては、パーソナルコンピュータで処理してモニタ上で楽しむか又はパーソナルコンピュータに接続しているプリンタからプリントアウトするか、ＤＰＥ店に処理を依頼するか、またはＤＰＥ店等に備えられている専用の装置でユーザ自身がプリントアウトするか、更には携帯電話機で撮影したデジタル写真に関してはメール送信することにより知人、友人に見せる等の方法が一般的である。
【０００３】
しかし、自身で撮影した画像は静止画であると動画であるとを問わず、他者に見てもらいたいという欲求は自然なものであるが、一般的にはそのような機会はなかなか得られないのが実情である。そこで、たとえば特許文献１には、携帯端末（具体的には携帯電話機）用のカラオケシステムではその携帯端末で撮影した静止画像を背景としてカラオケ用の歌詞を表示する発明が開示されている。
【０００４】
また特許文献２には、携帯電話機又はパーソナルコンピュータ等の情報端末装置からインターネットを利用してデジタル写真データをユーザが送信することにより、その画像をユーザが希望する画像と合成し、更には音楽（ＢＧＭ）を付加してユーザの携帯端末へ返送するサービスに関する発明が開示されている。
【特許文献１】特開２００２−２４４６７６号公報
【特許文献２】特開２００３−１５７３２６号公報
【発明の開示】
【発明が解決しようとする課題】
【０００５】
上述した特許文献１に開示されている発明では、ユーザ個人が所有する携帯端末のモニタでのみユーザが撮像した静止画像がカラオケ用の背景用画像として表示されるので、ユーザが撮影した静止画像を広く他者に見てもらうことはできない。また特許文献２に開示されている発明では、ユーザが撮影した画像を加工するためにサーバを利用しているのみであり、最終的に画像が表示されるのはユーザの携帯端末であるという点で、基本的には特許文献１と同様の問題がある。
【０００６】
本発明は以上のような事情に鑑みてなされたものであり、広く普及している営業用のカラオケ装置を利用して、主として携帯端末装置、たとえば携帯電話機，ＰＤＡ等で撮影した静止画、動画、更にはユーザが予め別途用意した静止画、動画をパーソナルコンピュータからサーバへメール送信しておくことにより、カラオケ店舗に設置されている営業用のカラオケ装置でユーザが用意した静止画、動画をカラオケ用の背景用の画像として表示できるようにして、自身が撮影した写真等の画像を広く他者に見てもらいたいという欲求を満たすことを可能としたカラオケ装置及びカラオケシステムの提供を目的とする。
【課題を解決するための手段】
【０００７】
第１の発明に係るカラオケ装置は、複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ装置において、任意の画像データを記憶する画像データ記憶手段と、指定されたカラオケ曲の楽音情報の再生時に、前記指定されたカラオケ曲に対応付けられている映像情報に代えて前記画像データ記憶手段が記憶している任意の画像データを読み出し、前記指定されたカラオケ曲の歌詞情報と前記合成手段に合成させる制御手段とを備えたことを特徴とする。
【０００８】
このような第１の発明に係るカラオケ装置では、任意の画像データが予め記憶されており、指定されたカラオケ曲の楽音情報の再生時にそのカラオケ曲に合わせて本来表示されるべき映像情報に代えて予め記憶されている任意の画像データが歌詞情報と合成されて表示される。
【０００９】
また第２の発明に係るカラオケ装置は、複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ装置において、任意の画像データを前記曲情報記憶手段が記憶しているカラオケ曲の楽音情報のいずれかに対応付けて記憶する画像データ記憶手段と、指定されたカラオケ曲に前記画像データ記憶手段が記憶している任意の画像データが対応付けられている場合に、前記指定されたカラオケ曲の楽音情報の再生時に、前記指定されたカラオケ曲に対応付けられている映像情報に代えて前記指定されたカラオケ曲に対応付けられて前記画像データ記憶手段に記憶されている任意の画像データを読み出し、前記指定されたカラオケ曲の歌詞情報と前記合成手段に合成させる制御手段とを備えたことを特徴とする。
【００１０】
このような第２の発明に係るカラオケ装置では、カラオケ曲に対応付けて任意の画像データが予め記憶されており、指定されたカラオケ曲に任意の画像データが対応付けられている場合には、その楽音情報の再生時にそのカラオケ曲に合わせて本来表示されるべき映像情報に代えて予め記憶されている任意の画像データが歌詞情報と合成されて表示される。
【００１１】
更に第３の発明に係るカラオケシステムは、複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ端末装置と、該カラオケ端末装置に前記楽音情報と映像情報とを送信して前記曲情報記憶手段及び映像情報記憶手段にそれぞれ記憶させる中央装置とを含むカラオケシステムにおいて、前記中央装置は、任意の画像データを受信して記憶する画像データ記憶手段を備え、前記カラオケ端末装置は、前記中央装置の画像データ記憶手段が記憶している画像データを通信回線を介して受信する画像データ受信手段と、該画像データ受信手段が受信した画像データを一時的に記憶する一時記憶手段と、指定されたカラオケ曲の楽音情報の再生時に、前記指定されたカラオケ曲に対応付けられている映像情報に代えて前記一時記憶手段が記憶している任意の画像データを読み出し、前記指定されたカラオケ曲の歌詞情報と前記合成手段に合成させる制御手段とを備えることを特徴とする。
【００１２】
このような第３の発明に係るカラオケシステムでは、任意の画像データが中央装置に予め記憶されており、これがカラオケ端末装置に受信されて記憶される。そして、カラオケ端末装置において指定されたカラオケ曲の楽音情報の再生時にそのカラオケ曲に合わせて本来表示されるべき映像情報に代えて予め記憶されている任意の画像データが歌詞情報と合成されて表示される。
【００１３】
また第４の発明に係るカラオケシステムは、複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ端末装置と、該カラオケ端末装置に前記楽音情報と映像情報とを送信して前記曲情報記憶手段及び映像情報記憶手段にそれぞれ記憶させる中央装置とを含むカラオケシステムにおいて、前記中央装置は、任意の画像データを前記カラオケ端末装置の曲情報記憶手段が記憶しているカラオケ曲を特定する曲特定情報と対応付けて記憶する画像データ記憶手段を備え、前記カラオケ端末装置は、前記中央装置の画像データ記憶手段が記憶している画像データ及び曲特定情報を通信回線を介して受信する画像データ受信手段と、該画像データ受信手段が受信した画像データ及び曲特定情報を一時的に記憶する一時記憶手段と、指定されたカラオケ曲を特定する曲特定情報が前記一時記憶手段に記憶されている場合に、前記指定されたカラオケ曲の楽音情報の再生時に、前記指定されたカラオケ曲に対応付けられている映像情報に代えて前記指定されたカラオケ曲の曲特定情報と対応付けられて前記一時記憶手段に記憶されている任意の画像データを読み出し、前記指定されたカラオケ曲の歌詞情報と前記合成手段に合成させる制御手段とを備えることを特徴とする。
【００１４】
このような第４の発明に係るカラオケシステムでは、任意の画像データと、この任意の画像データをカラオケ端末装置が記憶しているカラオケ曲を特定する曲特定情報とが中央装置に予め記憶されており、これらの情報がカラオケ端末装置に受信されて記憶される。
そして、カラオケ端末装置において指定されたカラオケ曲に任意の画像データが対応付けられている場合には、その楽音情報の再生時にそのカラオケ曲に合わせて本来表示されるべき映像情報に代えて予め記憶されている任意の画像データが歌詞情報と合成されて表示される。
【００１５】
更に第５の発明に係るカラオケシステムは、複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ端末装置と、該カラオケ端末装置に前記楽音情報と映像情報とを送信して前記曲情報記憶手段及び映像情報記憶手段にそれぞれ記憶させる中央装置とを含むカラオケシステムにおいて、前記中央装置へ任意の画像を送信して記憶させる端末装置を更に含み、前記中央装置は、前記端末装置から送信された任意の画像データを受信して記憶する画像データ記憶手段を備え、前記カラオケ端末装置は、前記中央装置の画像データ記憶手段が記憶している画像データを通信回線を介して受信する画像データ受信手段と、該画像データ受信手段が受信した画像データを一時的に記憶する一時記憶手段と、指定されたカラオケ曲の楽音情報の再生時に、前記指定されたカラオケ曲に対応付けられている映像情報に代えて前記一時記憶手段が記憶している任意の画像データを読み出し、前記指定されたカラオケ曲の歌詞情報と前記合成手段に合成させる制御手段とを備えることを特徴とする。
【００１６】
このような第５の発明に係るカラオケシステムでは、たとえば携帯電話機等の端末装置から中央装置へ任意の画像を送信して予め記憶させておくことにより、これがカラオケ端末装置に受信されて記憶される。そして、カラオケ端末装置において指定されたカラオケ曲の楽音情報の再生時にそのカラオケ曲に合わせて本来表示されるべき映像情報に代えて予め記憶されている任意の画像データが歌詞情報と合成されて表示される。
【００１７】
また第６の発明に係るカラオケシステムは、複数のカラオケ曲の楽音情報及び歌詞情報を記憶する曲情報記憶手段と、各カラオケ曲に対応付けられた映像情報を記憶する映像情報記憶手段と、指定されたカラオケ曲の楽音情報を前記曲情報記憶手段から読み出して再生出力する楽音再生手段と、指定されたカラオケ曲の歌詞情報を前記曲情報記憶手段から、前記指定されたカラオケ曲に対応付けられている映像情報を前記映像情報記憶手段からそれぞれ読み出して合成する合成手段と、該合成手段が合成した画像を表示する表示手段とを備えたカラオケ端末装置と、該カラオケ端末装置に前記楽音情報及び映像情報を送信して前記曲情報記憶手段及び映像情報記憶手段にそれぞれ記憶させる中央装置とを含むカラオケシステムにおいて、前記カラオケ端末装置の曲情報記憶手段が記憶している複数のカラオケ曲の楽音情報の少なくとも一つに任意の画像を前記カラオケ端末装置の映像情報記憶手段が記憶している映像情報に代えて表示させるように設定する設定情報と、前記任意の画像とを前記中央装置へ送信する端末装置を更に含み、前記中央装置は、前記端末装置から送信された前記設定情報及び前記任意の画像データを受信して記憶する画像データ記憶手段を備え、前記カラオケ端末装置は、前記中央装置の画像データ記憶手段が記憶している設定情報及び画像データを通信回線を介して受信する画像データ受信手段と、該画像データ受信手段が受信した設定情報及び画像データを一時的に記憶する一時記憶手段と、指定されたカラオケ曲を特定する曲特定情報が前記一時記憶手段に記憶されている場合に、前記指定されたカラオケ曲の楽音情報の再生時に、前記指定されたカラオケ曲に対応付けられている映像情報に代えて前記指定されたカラオケ曲を特定する曲特定情報に対応する設定情報に従って前記一時記憶手段に記憶されている任意の画像データを読み出し、前記指定されたカラオケ曲の歌詞情報と前記合成手段に合成させる制御手段とを備えることを特徴とする。
【００１８】
このような第６の発明に係るカラオケシステムでは、たとえば携帯電話機等の端末装置から中央装置へ、カラオケ端末装置が記憶している複数のカラオケ曲の楽音情報の少なくとも一つに任意の画像をカラオケ端末装置が記憶している映像情報に代えて表示させるように設定する設定情報と任意の画像とを送信して予め記憶させておくことにより、これらの情報がカラオケ端末装置に受信されて記憶される。そして、カラオケ端末装置において指定されたカラオケ曲を特定する曲特定情報が記憶されている場合には、その楽音情報の再生時にそのカラオケ曲に合わせて本来表示されるべき映像情報に代えて、カラオケ曲を特定する曲特定情報に対応する設定情報に従って予め記憶されている任意の画像データが歌詞情報と合成されて表示される。
【発明の効果】
【００１９】
第１の発明に係るカラオケ装置によれば、任意の画像データを予め記憶させておくことにより、ユーザがカラオケ曲を指定した場合に、その楽音情報の再生時にそのカラオケ曲に合わせて本来表示されるべき映像情報に代えて予め記憶されている任意の画像データが歌詞情報と合成されて表示されるので、ユーザは自身が他者に見せたい写真、動画等を見せる機会が得られる。
【００２０】
また第２の発明に係るカラオケ装置によれば、カラオケ曲に対応付けて任意の画像データを予め記憶させておくことにより、任意の画像データが対応付けられているカラオケ曲をユーザが指定した場合に、その楽音情報の再生時にそのカラオケ曲に合わせて本来表示されるべき映像情報に代えて予め記憶されている任意の画像データが歌詞情報と合成されて表示されるので、ユーザは指定した曲に応じて自身が他者に見せたい写真、動画等を見せる機会が得られる。
【００２１】
更に第３の発明に係るカラオケシステムによれば、任意の画像データを中央装置に予め記憶させておくことにより、これがカラオケ端末装置に受信されて記憶されるので、ユーザは自身が他者に見せたい写真、動画等を予め用意して中央装置に記憶させておけばよい。これにより、指定されたカラオケ曲の楽音情報の再生時にそのカラオケ曲に合わせて本来表示されるべき映像情報に代えて予め記憶されている任意の画像データが歌詞情報と合成されて表示されるので、ユーザは自身が他者に見せたい写真、動画等を見せる機会が得られる。
【００２２】
また第４の発明に係るカラオケシステムによれば、任意の画像データと、この任意の画像データをカラオケ端末装置が記憶しているカラオケ曲を特定する曲特定情報とを中央装置に予め記憶させておくことにより、これらの情報がカラオケ端末装置に受信されて記憶されるので、ユーザは自身が他者に見せたい写真、動画等を予め用意して中央装置に記憶させておけばよい。これにより、任意の画像データが対応付けられているカラオケ曲をユーザが指定した場合に、その楽音情報の再生時にそのカラオケ曲に合わせて本来表示されるべき映像情報に代えて予め記憶されている任意の画像データが歌詞情報と合成されて表示されるので、ユーザは指定した曲に応じて自身が他者に見せたい写真、動画等を見せる機会が得られる。
【００２３】
更に第５の発明に係るカラオケシステムによれば、たとえば携帯電話機等の端末装置から中央装置へ任意の画像を送信して予め記憶させておくことにより、これがカラオケ端末装置に受信されて記憶されるので、ユーザは自身が他者に見せたい写真、動画等を予め用意して携帯電話機等の端末装置から送信して中央装置に記憶させておけばよい。これにより、カラオケ端末装置において指定されたカラオケ曲の楽音情報の再生時にそのカラオケ曲に合わせて本来表示されるべき映像情報に代えて予め記憶されている任意の画像データが歌詞情報と合成されて表示されるので、ユーザは自身が他者に見せたい写真、動画等を見せる機会が得られる。
【００２４】
また第６の発明に係るカラオケシステムによれば、たとえば携帯電話機等の端末装置から中央装置へ、カラオケ端末装置が記憶している複数のカラオケ曲の楽音情報の少なくとも一つに任意の画像をカラオケ端末装置が記憶している映像情報に代えて表示させるように設定する設定情報と任意の画像とを送信して予め記憶させておくことにより、これらの情報がカラオケ端末装置に受信されて記憶されるので、ユーザは自身が他者に見せたい写真、動画等を予め用意して携帯電話機等の端末装置において表示状態の設定を行なった上で送信して中央装置に記憶させておけばよい。これにより、カラオケ端末装置がカラオケ曲を特定する曲特定情報を記憶しているカラオケ曲をユーザが指定した場合には、その楽音情報の再生時にそのカラオケ曲に合わせて本来表示されるべき映像情報に代えて、ユーザが指定したカラオケ曲を特定する曲特定情報に対応する設定情報に従って予め記憶されている任意の画像データが歌詞情報と合成されて表示されるので、ユーザは自身が他者に見せたい写真、動画等を見せる機会が得られる。
【発明を実施するための最良の形態】
【００２５】
以下、本発明に係るカラオケ装置、及びこのカラオケ装置をカラオケ端末装置とし、中央装置としてのサーバとを含むカラオケシステムの一実施の形態について図面を参照して説明する。図１は本発明に係るカラオケシステムの構成及びカラオケ装置の構成例を示すブロック図である。カラオケ装置そのもはカラオケ店舗（カラオケボックス）内に設置されており、端末装置１０と映像再生装置３０とを主要な構成要素としている。また、各カラオケ店舗に設置されているカラオケ装置は通信回線を介して通信センタ５０のメインサーバ５１と接続されている。通信センタ５０には通常のカラオケシステムと同様のメインサーバ５１の他に、ユーザ画像サーバ５２とユーザ属性管理サーバ５３とが備えられている。
【００２６】
また参照符号５５はユーザの携帯端末、本実施の形態では携帯電話機を示しており、通信センタ５０のメインサーバ５１との間で通信、具体的にはメールの送受が可能である。
また、携帯電話機５５にはこの携帯電話機５５のみでカラオケを楽しめるようにしたカラオケアプリケーションプログラムがインストールされている。この携帯電話機５５にインストールされているカラオケアプリケーションプログラムは、この携帯電話機５５自身が撮影した画像（静止画、動画、更には携帯電話機５５上で作成したイラスト画像、携帯電話機５５上でキャプチャした画像等）をカラオケ曲の歌詞表示の際に背景画像として利用するために登録できる機能を有している。なお、このような携帯電話機５５のみでカラオケを楽しむことが可能なカラオケアプリケーションプログラムそれ自体は公知であり、たとえば特許文献１に開示されている。
【００２７】
しかし、本発明のカラオケシステムでは、携帯電話機５５で上述のようにして携帯電話機５５のユーザ自身が撮影した画像をカラオケ曲の背景画像として登録した状態をそのまま通信センタ５０に予め登録しておくことが可能に構成されている。なお、画像のみを携帯電話機５５から通信センタ５０に登録しておくことも勿論可能である。
【００２８】
具体的には、携帯電話機５５のカラオケアプリケーションプログラムを利用してカラオケ曲用の背景画像としてユーザが登録した画像は、ユーザが自身を特定する個人識別情報であるユーザＩＤと個人認証用のパスワードとを通信センタ５０へ送信することによりログインした後、画像と曲コードと、更には携帯電話機５５で設定された画像の表示方法（たとえば複数の画像をランダムに１０秒間隔で表示する、等）とが対応付けられて携帯電話機５５からメインサーバ５１へ送信される。メインサーバ５１は携帯電話機５５から上述のような情報を受信すると、画像データをユーザ画像サーバ５２に登録し、このユーザ画像サーバ５２に登録された画像データと対応付けて他の情報をユーザ属性管理サーバ５３に登録する。
【００２９】
図２はユーザ画像サーバ５２に登録されているユーザ画像を管理するためのユーザ画像テーブルの内容を例示する模式図である。ユーザ画像サーバ５２は、ユーザが登録した画像のファイルを記憶している画像領域と、図２に示すようなユーザ画像テーブルを記憶した領域とに分けられている。ユーザ画像テーブルは、ユーザ画像サーバ５２の画像領域に記憶されている多数の画像データそれぞれを特定する画像番号（No.)と、画像番号で特定される各画像データのユーザ画像サーバ５２内の記憶位置を示すアドレスと、各画像を登録したユーザを特定するユーザＩＤが対応付けられてテーブルの形で登録されている。
【００３０】
従って、画像番号が指定されれば、ユーザ画像サーバ５２は指定された画像番号に対応付けてユーザ画像テーブルに登録されているアドレスに従って画像データを読み出し、メインサーバ５１へ出力することができる。また、ユーザＩＤが指定されれば、ユーザ画像サーバ５２は指定されたユーザＩＤが対応付けられてユーザ画像テーブルに登録されている全ての画像をそのアドレスに従って読み出してメインサーバ５１へ出力することができる。
【００３１】
図３はユーザ属性管理サーバ５３に記憶されているユーザを管理するためのユーザ管理テーブルの内容を例示する模式図である。ユーザ管理テーブルには、個々のユーザを特定するユーザＩＤと、各ユーザが登録したパスワードとが組み合わされて登録されている。
従って、ユーザからたとえば携帯電話機５５又は本発明のカラオケ装置から通信センタ５０へアクセスがあった場合には、ユーザＩＤに対してパスワードの認証を行ない、その結果が正しければ通信センタ５０へのログインが認められる。
【００３２】
また図４はユーザ属性管理サーバ５３に記憶されている個々のユーザが登録している画像を管理するためのユーザテーブルの内容を例示する模式図である。ユーザテーブルは個々のユーザ別に用意されており、個々のユーザテーブルはユーザを特定するユーザＩＤにより特定される。たとえば図４にはユーザＩＤが「０００１」のユーザに関するユーザテーブルの内容が例示されている。
【００３３】
個々のユーザ別のユーザテーブルには、曲コード毎に画像番号が対応付けられて登録されており、またそれらの画像の表示モードに関する情報も登録されている。具体的には、図４に示すようにユーザＩＤが「０００１」のユーザは、曲コード「１２３４５６」の曲に対応付けて画像番号が「０００１」及び「０００２」の画像を登録しており、その表示モードとしては各画像をランダムに１０秒間隔で表示するモードが登録されている。また曲コード「２３４５６７」の曲に対応付けて画像番号が「１２０１」、「１２０２」及び「１２０３」の画像が登録されており、その表示モードとしては各画像を昇順に５秒間隔で表示するモードが登録されている。なお、曲コードが「００００００」である場合は曲の指定は行なわれずに画像のみが登録されていることを意味している。
【００３４】
なお、本実施の形態では、カラオケ曲を特定する情報としては曲名ではなく曲コードを使用しているが、カラオケ曲に関しては統一的なコードが付与されているわけではなく、カラオケ装置又はアプリケーションプログラムの製造業者が独自に付番しているのが実情である。従って、本実施の形態では、携帯電話機５５にインストールされているカラオケアプリケーションプログラムと本発明のカラオケ装置とで同一の曲コードを使用していることを前提としているが、曲コードが異なる場合であっても、曲コードに代えて具体的な曲名を使用すれば同一の効果を得られることは言うまでもない。
【００３５】
端末装置１０は、ＣＰＵ又はＭＰＵ及びＲＯＭ，ＲＡＭ等を内蔵する制御部１１により全体が制御される。制御部１１にはバスを介して、ハードディスク装置（ＨＤ）１２、楽音再生部１３、ビデオミキサ１４、モデム１５、操作パネル１６、映像再生部４０との間のデータの授受のための入出力部（Ｉ／Ｏ）１７等が接続されている。
【００３６】
モデム１５は通信回線を介して通信センタ５０のメインサーバ５１と接続されている。
メインサーバ５１からは定期的に、又は必要に応じて、映像データ及び曲データ（歌詞データ及び楽音情報）が端末装置１０へ送信される。端末装置１０ではこれらのデータを受信すると、映像データを後述する映像再生部４０のハードディスク装置（ＨＤ）４３へ格納させ、歌詞データをＨＤ１２へ格納させる。
【００３７】
ＨＤ１２には、上述のようにしてメインサーバ５１から受信した複数のカラオケ曲の楽音データが格納されており、曲名又は曲を特定する番号等のコードが指定されることにより、対応する曲データの歌詞データ及び楽音データが読み出され、歌詞データはビデオミキサ１４へ、楽音データは楽音再生部１３へそれぞれ送られる。
【００３８】
楽音再生部１３にはミキサアンプ３１が接続されている。ミキサアンプ３１にはマイクロフォン３２が接続されている。楽音再生部１３は上述のようにしてＨＤ１２から送られてくる楽音データをアナログオーディオ信号に変換してミキサアンプ３１へ出力する。ミキサアンプ３１にはマイクロフォン３２が接続されているので、楽音再生部１３から与えられるアナログオーディオ信号（カラオケ曲の伴奏）と、マイクロフォン３２から入力されたユーザの音声とをミキシングしてスピーカ３３から再生する。ビデオミキサ１４は映像再生部４０から出力される映像信号と、ＨＤ１２に格納されている歌詞データとを合成してモニタ３４へ出力する。
【００３９】
操作パネル１６はユーザが曲の指定を行なったり等の通常のカラオケ装置としての動作を行なわせるために利用される。操作パネル１６が操作された場合、操作状態に応じた所定の信号がバスへ出力される。また、操作パネル１６を直接操作する以外に、リモートコントロール装置（以下、リモコンという）１６１を利用しても同様の操作が可能である。
リモコン１６１の操作状態はたとえば赤外線信号等に変換されて無線送信され、受信部１６０で受信される。受信部１６０で受信されたリモコン１６０からの信号は操作パネル１６が操作された場合と同様の信号に操作パネル１６において変換されてバスへ出力される。
【００４０】
映像再生部４０は、ＣＰＵ又はＭＰＵ及びＲＯＭ，ＲＡＭ等を内蔵する制御部４１により全体が制御される。制御部４１にはバスを介して、映像再生部４２、ハードディスク装置（ＨＤ）４３、端末装置１０との間のデータの授受のための入出力部（Ｉ／Ｏ）４４等が接続されている。
【００４１】
映像再生部４２は前述したように、ＨＤ４３にたとえばＭＰＥＧ２等の圧縮データの形で格納されている映像信号をアナログの映像信号に再生して前述した如くビデオミキサ１４へ送出する。なおＩ／Ｏ４４は端末装置１０のＩ／Ｏ１７と接続されており、端末装置１０がメインサーバ５１から受信した映像信号をＨＤ４３に格納するために受信したり、またユーザが指定した楽音に応じた映像信号をＨＤ４３から映像再生部４２に再生させてビデオミキサ１４へ出力させるための制御信号等を受信する。
【００４２】
なお、端末装置１０のＨＤ１２には、端末装置１０及び映像再生部４０を従来同様のカラオケ装置として動作させるために必要なソフトウェアが予めインストールされているが、本実施の形態ではＨＤ１２には更に、ユーザ認証用のソフトウェア、及び認証されたユーザがユーザ画像サーバ５２に登録している画像をダウンロードするためのソフトウェア等も予めインストールされている。
【００４３】
以上の端末装置１０及び映像再生部４０に関する説明は本発明に係るカラオケ装置が通常のカラオケ装置として動作する場合の説明であるが、以下に説明するようにユーザの指示に応じて本発明のカラオケ装置独自の動作を行なうことが可能である。以下、ユーザが通信センタ５０に予め登録してある画像を本発明のカラオケ装置へダウンロードして利用する場合の処理について主として説明する。
【００４４】
図５は本発明のカラオケシステムにより行なわれる処理の手順を示すフローチャートである。端末装置１０の制御部１１は操作パネル１６（又はリモコン１６１、以下同様）が操作されて何らかの指示が与えられるのを待機しており（ステップＳ１１）、ユーザが自身が撮影して予め通信センタ５０に登録してある画像を利用することを指示しない場合には（ステップＳ１１でＮＯ）、制御部１１は通常の処理、即ち従来同様のカラオケ装置としての動作を実行する（ステップＳ１２）。
【００４５】
一方、ユーザが自身が撮影して予め通信センタ５０に登録してある画像を利用することを指示した場合には（ステップＳ１１でＹＥＳ）、制御部１１はモニタ３４にユーザＩＤ及びパスワードの入力を促すメッセージを表示する。制御部１１はユーザがこのメッセージに応じてユーザＩＤ及びパスワードが入力されるまで待機している（ステップＳ１３でＮＯ）。ユーザが操作パネル１６を操作することによりユーザＩＤ及びパスワードを入力すると（ステップＳ１３でＹＥＳ）、制御部１１は入力されたユーザＩＤ及びパスワードをモデム１５から通信回線を介して通信センタ５０へ送信する。
【００４６】
通信センタ５０では、端末装置１０からユーザＩＤ及びパスワードを受信した場合、ユーザ属性管理サーバ５３のユーザ管理テーブルの内容に基づいてパスワードの正否を判断し、正しければユーザが認証されたものとして（ステップＳ１４でＹＥＳ）、認証されたユーザＩＤのユーザテーブルをユーザ属性管理サーバ５３から読み出し、またユーザ画像サーバ５２のユーザ画像テーブルの内容に基づいて、認証されたユーザＩＤに対応付けられている画像データをユーザ画像サーバ５２から読み出して端末装置１０へ送信する。端末装置１０はこれらの情報をモデム１５を介してダウンロードすると（ステップＳ１６）、画像データを映像再生部４０のＨＤ４３に、他の情報を端末装置１０のＨＤ１２に一時記憶する。
【００４７】
そして制御部１１は選曲が行なわれるまでは待機状態になり（ステップＳ１７でＮＯ）、ユーザが自身が望む曲をその曲コードを操作パネル１６の操作により入力して選曲すると（ステップＳ１７でＹＥＳ）、制御部１１は選曲された曲、即ち入力された曲コードに対応付けられている画像データが存在するか否かをＨＤ１２に一時記憶しているユーザテーブルの内容に基づいて検索する（ステップＳ１８）。この結果、該当する画像データがある場合は（ステップＳ１８でＹＥＳ）、制御部１１は、ステップＳ１７で選曲された曲に対して本来背景として表示されることになっている画像を表示せずに、該当する画像データをモニタ３４に表示する（ステップＳ１９）。なおこの際、選曲された曲の曲データ及び歌詞データがＨＤ１２から読み出され、曲データは楽音再生部１３でアナログのオーディオ信号に変換されてミキサアンプ３１へ出力され、歌詞データはビデオミキサ１４でユーザが予め登録しておいた画像と合成されてモニタに表示されることは言うまでもない。
【００４８】
このステップＳ１９での画像データの表示は、ユーザが先に携帯電話機５５にインストールされているカラオケアプリケーションプログラムによって設定した表示状態（表示モード）が再現される。従って、ユーザは通信センタ５０に画像を登録する前に予め、携帯電話機５５において、カラオケ曲の曲データの再生状態と画像の表示状態との関係を設定し、且つ確認しておくことが可能になる。
【００４９】
なお、ステップＳ１８において、選曲された曲に対応付けられている画像が存在しないことが判明した場合は（ステップＳ１８でＮＯ）、制御部１１は当該ユーザが登録した画像ではあっても曲と対応付けられていない画像データが存在するか否かを検索する（ステップＳ２０）。そのような画像データが存在する場合は（ステップＳ２０でＹＥＳ）、制御部１１はそのような画像データを適宜の、たとえば所定時間間隔で何らかの順序でモニタ３４に表示する、等の方法で、先にステップＳ１７でユーザが選曲した曲データに合わせてモニタ３４に表示する（ステップＳ２１）。
【００５０】
更に、ステップＳ２０において、当該ユーザが登録した画像には曲と対応付けられていない画像データが存在しないことが判明した場合は（ステップＳ２０でＮＯ）、制御部１１は当該ユーザが登録してある全ての画像データを適宜の、たとえば所定時間間隔でランダムな順序でモニタ３４に表示する、等の方法で、先にステップＳ１７でユーザが選曲した曲データに合わせてモニタ３４に表示する（ステップＳ２２）。
【００５１】
なお、上記の実施の形態では、携帯電話機５５から通信センタ５０へ画像の登録を行なうようにしているが、携帯電話機５５にインストールされているカラオケアプリケーションプログラムと同等のアプリケーションプログラムをＰＤＡ、パーソナルコンピュータ等にインストールしておけば、携帯電話機５５に代えてＰＤＡ、パーソナルコンピュータ等からの画像の登録も勿論可能になる。
【００５２】
また、通信センタ５０に予め登録しておく画像はユーザ自身が撮影した画像のみならず、ユーザ自身が作成したイラストでもよいし、また携帯電話機、パーソナルコンピュータ等でキャプチャした画像であってもよい。更に、通信センタ５０に予め登録しておく画像は静止画に限らず、動画であってもよい。
【００５３】
また更に、上述の実施の形態では、通信センタ５０にユーザ画像サーバ５２及びユーザ属性管理サーバ５３が設置されている形態について説明したが、ユーザ画像サーバ５２とユーザ属性管理サーバ５３とをカラオケ装置と一体化する構成であってもよいことは言うまでもない。
【００５４】
更にまた、上述の実施の形態に加えて、カラオケ店舗（カラオケボックス）内に設置されている端末装置１０に、携帯電話機、ＰＤＡ、パーソナルコンピュータ等からたとえばＩｒＤＡ（InfraRed Data Association)、Bluetooth 等の無線通信方式で直接画像データを送信して利用するようにすることも勿論可能である。
【００５５】
以上に詳述したように本発明に係るカラオケ装置によれば、ユーザが予め登録しておいた画像をユーザが選曲したカラオケ曲の背景画像として利用することが可能になるので、ユーザが他者に見せたいと常日頃思っている種々の画像を他者に見せることが可能になる。
【図面の簡単な説明】
【００５６】
【図１】本発明に係るカラオケシステムの構成及びカラオケ装置の構成例を示すブロック図である。
【図２】本発明に係るカラオケシステムのユーザ画像サーバに登録されているユーザ画像を管理するためのユーザ画像テーブルの内容を例示する模式図である。
【図３】本発明に係るカラオケシステムのユーザ属性管理サーバに記憶されているユーザを管理するためのユーザ管理テーブルの内容を例示する模式図である。
【図４】本発明に係るカラオケシステムのユーザ属性管理サーバに記憶されている個々のユーザが登録している画像を管理するためのユーザテーブルの内容を例示する模式図である。
【図５】本発明のカラオケシステムにより行なわれる処理の手順を示すフローチャートである。
【符号の説明】
【００５７】
１０  端末装置
１１  制御部
１２  ハードディスク装置（ＨＤ）
１５  モデム
１６  操作パネル
４０  映像再生部
４１  制御部
４２  映像再生部
４３  ハードディスク装置（ＨＤ）
５０  通信センタ
５１  メインサーバ
５２  ユーザ画像サーバ
５３  ユーザ属性管理サーバ
１６１  リモートコントロール装置
５５  携帯電話機
【図１】
2006003843.tif 000003
【図２】
2006003843.tif 000004
【図３】
2006003843.tif 000005
【図４】
2006003843.tif 000006
【図５】
2006003843.tif 000007